(57)【要約】【課題】車両に備えられたカーナビゲーション装置に代えて携帯端末を搭載する車両用端末搭載装置において、携帯端末の着脱が駐車時などに容易に行えるようにする。【解決手段】車両に備えられている着脱可能なオーディオパネル１３の表面に位置して携帯端末Ｍを着脱可能に保持するトップパネル２１と、車両に対するオーディオパネル１３の取り付けを可能にしつつオーディオパネル１３の裏面に位置するバックパネル２２を備える。バックパネル２２は、定着用固定部によってオーディオパネル１３の裏面に固定し、トップパネル２１は、相互間固定部によってバックパネル２２の表面に固定して、オーディオパネル１３の表面よりも飛び出した状態にする。【選択図】図２
2019156145.tif 000002
【特許請求の範囲】
【請求項１】
車両の搭載機器に代えて携帯端末を搭載する車両用端末搭載装置であって、
前記車両に備えられている着脱可能なオーディオパネルの表面に位置して前記携帯端末を着脱可能に保持するトップパネルと、
前記車両に対する前記オーディオパネルの取り付けを可能にしつつ前記オーディオパネルの裏面に位置するバックパネルを備え、
前記トップパネルと前記バックパネルに、前記オーディオパネルを挟んで互いを結合する相互間固定部を備えるとともに、
前記バックパネルに、前記オーディオパネルに対して固定する定着用固定部を備えた
車両用端末搭載装置。
【請求項２】
前記相互間固定部が、前記バックパネルから前記トップパネルの裏面に対して螺合するねじ部材を備えている
請求項１に記載の車両用端末搭載装置。
【請求項３】
前記定着用固定部が、前記バックパネルから前記オーディオパネルへ向けて螺合するねじ部材を備えている
請求項１または請求項２に記載の車両用端末搭載装置。
【請求項４】
前記トップパネルの裏面と前記バックパネルの表面のうち少なくともいずれか一方に、前記オーディオパネルの表面の中央に形成された開口部に嵌る嵌合段部が形成された
請求項１から請求項３のうちいずれか一項に記載の車両用端末搭載装置。
【請求項５】
前記トップパネルが、前記携帯端末の背面を受ける背面板部と、前記携帯端末の正面の外周縁部を押さえる正面枠部と、前記背面板部と前記正面枠部の周縁部のうち一部の出し入れ口を除いて閉塞する閉塞部を有する
請求項１から請求項４のうちいずれか一項に記載の車両用端末搭載装置。
【請求項６】
請求項１から請求項５のうちいずれか一項に記載の車両用端末搭載装置で前記携帯端末を保持する
車両用端末搭載構造。
【発明の詳細な説明】
【技術分野】
【０００１】
この発明は、例えばカーナビゲーション装置などの車載端末装置をタブレットコンピュータやスマートフォンなどの携帯端末に置き換えるための車両用端末搭載装置に関する。
【背景技術】
【０００２】
前述のような車両用端末搭載装置としては、下記特許文献１のようなものが開示されている。
【０００３】
この装置は、携帯端末を着脱自在に収容するホルダを備えている。そのホルダは、純正端末装置と同様の外形寸法であって、車両のインストルメントパネルにおけるセンターコンソールの端末設置部に対して着脱自在に装着される。そして、ホルダにおける携帯端末を収容する携帯端末収容部は、凹状に形成されている。
【０００４】
このように特許文献１の装置は、携帯端末を収納するホルダを純正端末装置と置き換える構造である。つまり、ホルダは端末設置部に対して埋め込まれた状態で取り付けられるものであるうえに、携帯端末収容部はそのようなホルダに対して凹状に形成されているので、携帯端末も端末設置部に対して埋め込まれた状態に取り付けられることになり、携帯端末の着脱は容易ではなかった。
【先行技術文献】
【特許文献】
【０００５】
【特許文献１】特許第６１２３６０４号公報
【発明の概要】
【発明が解決しようとする課題】
【０００６】
この発明は、携帯端末を容易に着脱可能な状態で搭載できるようにすることを主な目的とする。
【課題を解決するための手段】
【０００７】
そのための手段は、車両の搭載機器に代えて携帯端末を搭載する車両用端末搭載装置であって、前記車両に備えられている着脱可能なオーディオパネルの表面に位置して前記携帯端末を着脱可能に保持するトップパネルと、前記車両に対する前記オーディオパネルの取り付けを可能にしつつ前記オーディオパネルの裏面に位置するバックパネルを備え、前記トップパネルと前記バックパネルに、前記オーディオパネルを挟んで互いを結合する相互間固定部を備えるとともに、前記バックパネルに、前記オーディオパネルに対して固定する定着用固定部を備えた車両用端末搭載装置である。
【０００８】
この構成では、バックパネルは車両に元々備えられているオーディオパネルの車両に対する取り付けを阻害しない態様でオーディオパネルの裏面に位置し、定着用固定部によりオーディオパネルの裏面に固定される。またバックパネルは、相互間固定部によってトップパネルをオーディオパネルに固定する。オーディオパネルに固定されたトップパネルは、オーディパネルの表面から出た状態となって、携帯端末を着脱可能に保持する。
【発明の効果】
【０００９】
この発明によれば、オーディオパネルに固定されるバックパネルとトップパネルは相互間固定部によってオーディパネルを挟む態様で固定されるとともに、バックパネルは定着用固定部によってオーディオパネルに直接固定されるので、安定した強固な固定が可能である。
【００１０】
しかも、携帯端末を保持するトップパネルはオーディオパネルの表面から出た状態に固定されるので、携帯端末の着脱が容易に行えるように構成することができる。このため、例えば車両の駐車中などに携帯端末を取り外すことができて、盗難防止や個人情報の保護に役立つ。
【００１１】
また、車両に備えられている着脱可能なオーディオパネルを利用して取り付けられるので、専用のホルダを用いる必要はなく、部品点数を削減して構成の簡素化をはかれるとともに、取り付け作業の簡単化も実現できる。
【図面の簡単な説明】
【００１２】
【図１】車両用端末搭載構造の斜視図。
【図２】オーディオパネルに固定された車両用端末搭載装置の斜視図。
【図３】トップパネルの斜視図。
【図４】図３のＡ−Ａ断面図。
【図５】トップパネルの内部の一部拡大断面図。
【図６】バックパネルの斜視図。
【図７】図２のＢ−Ｂ断面図。
【図８】固定作業を説明する斜視図。
【発明を実施するための形態】
【００１３】
この発明を実施するための一形態を、以下図面を用いて説明する。
【００１４】
図１に、携帯端末Ｍを保持した状態の車両用端末搭載装置１１と、車両用端末搭載装置１１を備えた車両用端末搭載構造を示す。車両用端末搭載装置１１は、車両の搭載機器に代えて携帯端末Ｍを搭載する装置であり、車両のインストルメントパネル１２におけるオーディオパネル１３に取り付けられている。
【００１５】
オーディオパネル１３は、その周囲のセンタークラスターパネル１４と共に車両に対して着脱可能であり、車両用端末搭載装置１１は、車両から外したオーディオパネル１３に対して、備え付けられていた搭載機器（図示せず）を取り外してから、取り付けられるものである。
【００１６】
図２はオーディオパネル１３に固定した状態の車両用端末搭載装置１１を示している。この図に示すように車両用端末搭載装置１１は、オーディオパネル１３の表面に位置して携帯端末Ｍを着脱可能に保持するトップパネル２１と、車両に対するオーディオパネル１３の取り付けを可能にしつつオーディオパネル１３の裏面に位置するバックパネル２２を備えている。図２中、１３ａは、オーディオパネル１３を車両に対して取り付けるための取り付け手段である。
【００１７】
トップパネル２１は、合成樹脂製であり、斜視図である図３に示したように、携帯端末Ｍを収納保持可能な大きさの薄板状に形成された本体部２３と、本体部２３の下に一体形成された略長方形板状の操作部２４を有している。
【００１８】
本体部２３は、図３のＡ−Ａ断面図である図４にも示したように、携帯端末Ｍの背面を受ける背面板部２５と、携帯端末Ｍの正面の外周縁部を押さえる正面枠部２６と、背面板部２５と正面枠部２６の周縁部のうち一部の出し入れ口２７を除いて閉塞する閉塞部２８を有しており、内部には偏平な収納空間２９が形成されている。
【００１９】
背面板部２５と正面枠部２６は、正面視横長の長方形である。閉塞部２８は、正面視長方形の上面、下面及び左右方向の一方に形成されており、携帯端末Ｍを出し入れする出し入れ口２７は、左右方向の他方に形成されている。図示例では、出し入れ口２７の形成位置は、左右方向の左方である。つまり、右ハンドルの車両において、運転席と反対側の助手席側に向けて出し入れ口２７が形成されている。出し入れ口２７の幅は、収納空間２９の上下方向の高さと同じに設定されている。
【００２０】
背面板部２５の裏面には、平面視長方形状の枠状リブ３１が立設されている。枠状リブ３１は全体が同一高さに形成されており、枠状リブ３１に囲まれた部位には、枠状リブ３１の内側で延びる補強リブ３２が適宜形成されている。
【００２１】
枠状リブ３１の大きさは、オーディオパネル１３の表面の中央に形成されている長方形の開口部１５（図２の破線参照）に嵌る大きさである。開口部１５に対してゆったり嵌まる大きさであっても、ぴったりと嵌まる嵌合対応する大きさであってもよい。枠状リブ３１が開口部１４ａの大きさよりも小さい場合には、枠状リブ３１の外周面に、外方に延びる補助リブ（図示せず）を備えることもできる。このような枠状リブ３１や補助リブが、この発明における嵌合段部となる。
【００２２】
枠状リブ３１の内側には、複数の筒状部３３が立設されている。筒状部３３は、トップパネル２１とバックパネル２２に備えられてオーディオパネル１３を挟んで互いを結合するための相互間固定部の一部を構成する部位である。筒状部３３は、適宜大の大きさの穴３３ａを有した円筒形であり、枠状リブ３１と同じ高さに形成される。筒状部３３の形成位置は、枠状リブ３１より内側の四隅に近い部位である。
【００２３】
前述の操作部２４は背面板部２５の下端縁に一体に形成されており、タッチパネル２４ａやマイク穴２４ｂが形成され、裏面には基板（図示せず）などの必要な機器が備えられている。
【００２４】
正面枠部２６は、中央に適宜大の長方形をなす窓部２６ａを有している。窓部２６ａは穴で構成され、窓部２６ａよりも外側の部分のうち、収納空間２９に収納された携帯端末Ｍと対向する部位が、携帯端末Ｍの正面を押さえる部分となる。
【００２５】
正面枠部２６の三辺には、前述の閉塞部２８が一体に形成されている。そして、正面枠部２６の出し入れ口２７と反対側の部位には、携帯端末Ｍの電源コネクタＭａ（図２参照）と接続する接続部３４が内蔵されている。また、出し入れ口２７と反対側の閉塞部２８には、収納した携帯端末Ｍを取り出すときに押すイジェクトボタン３５が設けられている。
【００２６】
正面枠部２６の裏面であって携帯端末Ｍに接する部位には、緩衝のために薄い緩衝シート３６が貼り付けられている。緩衝シート３６は、布帛や不織布などの適宜の材料で形成される。
【００２７】
正面枠部２６に対向する背面板部２５の表面には、収納された携帯端末Ｍの背面を支える支持シート３７が取り付けられている。支持シート３７は、図５に示したように、基布３７ａの表面に立毛３７ｂを有した構造であり、いわゆるベロアやベルベット、ビロードなどと称されるごく薄い適宜のシート材で構成されている。支持シート３７の厚みは１ｍｍ程度か、それ以下である。
【００２８】
このような支持シート３７では、立毛３７ｂが、図５に一部を拡大して仮想線と共に描いたように、可撓性を有して傾倒可能であるとともに長手方向に弾力性を発揮する。
【００２９】
以上のような構成のトップパネル２１と対をなすバックパネル２２は、その裏面側を下方から斜めに見た斜視図である図６に示したように、横長の長方形枠状の板枠部４１を有している。板枠部４１を含めてバックパネル２２は合成樹脂製である。
【００３０】
板枠部４１の大きさは、トップパネル２１の背面板部２５の枠状リブ３１に対応する大きさ、又は略対応する大きさである。板枠部４１の外周縁には、裏面側に延びる縁壁４２が形成されている。縁壁４２の外周面には、枠状リブ３１の場合と同様に外方に向けて延びるリブが形成されてもよい。この縁壁４２と縁壁４２を備える板枠部４１は、トップパネル２１の枠状リブ３１と同様に、オーディオパネル１３の表面の中央に形成されている開口部１５に嵌る嵌合段部である。縁壁４２の高さは枠状リブ３１の高さと共に、図２のＢ−Ｂ断面図である図７に示したように、枠状リブ３１の高さと足し合わせた高さが、オーディオパネル１３の開口部１５の内周縁に形成された内周壁１５ａの高さに対応する高さとなるように設定されている。
【００３１】
板枠部４１の中央には、横長の長方形をなす開口部４３（図６参照）が形成され、開口部４３の縁のうち、長手方向の両側部位には、外周縁の縁壁４２と同様に裏面側に延びる縁リブ４４が形成されている。２つの縁リブ４４間には、適宜に支持リブ４５が形成されている。支持リブ４５は、制御ユニット４６を支持するためものである。制御ユニット４６は、支持リブ４５を介在させて板枠部４１との間に通気空間を備えた状態にして、板枠部４１に対して固定ビス４７を用いて固定される。図７中、４８は円筒状のスペーサである。
【００３２】
制御ユニット４６は、薄い直方体状に形成されており、制御のための必要な機器が内蔵されるとともに、端子接続のための接続口部４６ａが下面に備えられている。接続口部４６ａには、図示は省略するが、トップパネル２１の接続部３４やタッチパネル２４ａの基板、マイクから延びるコードの端子が接続される。
【００３３】
制御ユニット４６の長手方向（板枠部４１の長手方向）の長さは、前述したトップパネル２１に形成した４個の筒状部３３のうち、長手方向に並ぶ筒状部３３同士の間隔よりも短く設定されている。
【００３４】
板枠部４１におけるトップパネル２１の筒状部３３に対応する位置、つまり板枠部４１と枠状リブ３１を対応させた状態で筒状部３３に対向する部位には、貫通穴５１が形成されている。貫通穴５１は、筒状部３３と共に、前述の相互間固定部の一部を構成する部位である。板枠部４１の表面における貫通穴５１の縁には、筒状部３３の先端面が嵌る大きさの環状隆起部５１ａ（図７参照）が形成されている。
【００３５】
貫通穴５１と筒状部３３には、同じく相互間固定部の一部を構成するねじ部材５２が適用される。つまり、貫通穴５１を通して筒状部３３にねじ部材５２が螺合される。換言すれば、ねじ部材５２はバックパネル２２からトップパネル２１の裏面に対して螺合するものである。ねじ部材５２には、筒状部３３にねじ立てしながらねじ込むタッピングねじが好適に使用できる。タッピングねじではなく一般的なねじ部材を用いる場合には、筒状部３３にナット（図示せず）を埋設しておくとよい。
【００３６】
板枠部４１の縁壁４２における四隅には、適宜高さにおいて外周方向に張り出す固定片５５が形成されている。固定片５５の張り出し位置と高さは、オーディオパネル１３の裏面における固定対象部位１３ｂに応じて設定される。なお、バックパネル２２は前述のようにオーディオパネル１３の裏面に取り付けられた状態で車両に対するオーディオパネル１３の取り付けを可能にするものである。換言すればバックパネル２２はオーディオパネル１３の車両に対する取り付けを阻害しない大きさと形状に形成されるものであって、この点も考慮して固定片５５は形成される。
【００３７】
固定片５５の先端部には、貫通穴５６が形成されている。この貫通穴５６は、バックパネル２２に形成されてオーディオパネル１３に対して固定する定着用固定部の一部である。貫通穴５６には、同じく定着用固定部を構成するねじ部材５７、つまりバックパネル２２からオーディオパネル１３へ向けて螺合するねじ部材５７が挿入される。
【００３８】
ねじ部材５７としては、前述の相互間固定部のねじ部材５２と同様にタッピングねじを用いるとよい。タッピングねじに代えて、一般的なねじ部材を使用して、ナット（図示せず）を用いてオーディオパネル１３に締結する構成としてもよい。
【００３９】
以上のようなトップパネル２１とバックパネル２２を備えた車両用端末搭載装置１１は、次のようにして使用される。
【００４０】
まず、車両に備えられているオーディオパネル１３を取り外す。続いて、オーディオパネル１３に固定されている不要な搭載機器を除去する。
【００４１】
このあと、オーディオパネル１３を裏返して裏面を上に向けた状態にして、オーディオパネル１３の開口部１５にトップパネル２１の枠状リブ３１とバックパネル２２の板枠部４１及び縁壁４２、つまり嵌合段部を嵌めた状態にしてトップパネル２１とバックパネル２２でオーディオパネル１３の開口部１５を表裏方向で挟む。このとき、バックパネル２２の固定片５５をオーディオパネル１３の裏面の固定対象部位１３ｂに位置させる。
【００４２】
オーディオパネル１３に対してトップパネル２１とバックパネル２２を所定の位置に仮組したのち、相互間固定部と定着用固定部での結合を行う。つまり、図８に示したように、上に表れている裏面側から２種類のねじ部材５２，５７を螺合する。つまり、バックパネル２２の固定片５５の貫通穴５６からオーディオパネル１３の裏面の固定対象部位１３ｂにねじ部材５７を螺合する。また、バックパネル２２の板枠部４１の貫通穴５１からトップパネル２１の筒状部３３にねじ部材５２を螺合する。いずれのねじ部材５２，５７もタッピングねじで構成されているので、裏面側から螺合するだけで容易に固定が行える。しかもねじ部材５２，５７はタッピングねじであるので、部品点数も少なく作業が簡単であるうえに、がたつきのない強固な固定状態が得られる。
【００４３】
オーディオパネル１３に対して車両用端末搭載装置１１を固定したあとは、オーディオパネル１３を車両に対して元通りに取り付ける。
【００４４】
このように、車両用端末搭載装置１１は車両に元々備えられているオーディオパネル１３に対して取り付けられ、オーディオパネル１３を車両に戻すことで取り付けが完了する。
【００４５】
このため、車両用端末搭載装置１１では、専用のホルダを用いる必要はなく、車両に備えられている着脱可能なオーディオパネル１３を有効に利用して部品点数を削減し、構成の簡素化をはかることができる。構成の簡素化により、取り付け作業の簡単化も可能である。
【００４６】
取り付け作業については、相互間固定部がバックパネル２２からトップパネル２１の裏面に対して螺合するねじ部材５２を備えているので、裏面側からねじ部材５２を螺合するだけで固定が完了する。このため、作業は至って簡単である。特に、ねじ部材５２はタッピングねじで構成されており、筒状部３３は合成樹脂製であるので、ナットを備える必要がなく、構造の一層の簡素化もできる。
【００４７】
また、定着用固定部がバックパネル２２からオーディオパネル１３へ向けて螺合するねじ部材５７を備えているので、相互間固定部の場合と同様に作業性が良い。
【００４８】
車両用端末搭載装置１１の車両に対する固定状態においては、バックパネル２２が定着用固定部によってオーディオパネル１３に対して直接固定されるとともに、トップパネル２１と協働してオーディオパネル１３の開口部１５を挟み付けた状態にするので、安定した強固な固定状態が得られる。
【００４９】
特に、トップパネル２１の裏面とバックパネル２２の表面に、オーディオパネル１３の表面の中央に形成された開口部１５に嵌る嵌合段部が形成されているので、トップパネル２１はバックパネル２２を利用して固定されるものの、がたつきのない強固な固定状態となる。
【００５０】
しかも携帯端末Ｍを保持するトップパネル２１は、携帯端末Ｍの背面を受ける背面板部２５と、携帯端末Ｍの正面の外周縁部を押さえる正面枠部２６と、背面板部２５と正面枠部２６の周縁部のうち一部の出し入れ口２７を除いて閉塞する閉塞部２８を有する構造であるので、携帯端末Ｍの保持状態もしっかりとしたものとすることができる。また、出し入れ口２７は左右方向に形成されているので、振動で上下に揺れても、携帯端末Ｍの保持状態は維持される。
【００５１】
その一方で、トップパネル２１はオーディオパネル１３の表面から出た状態であり、イジェクトボタン３５も備えられているので、携帯端末Ｍの着脱は容易に行える。このため、例えば車両の短時間の駐車中などでも簡易迅速に携帯端末Ｍを取り外すことができて、盗難防止や個人情報の保護に大いに貢献する。
【００５２】
トップパネル２１に対する携帯端末Ｍの保持と取出しと保持状態については、トップパネル２１の背面板部２５の表面に支持シート３７を備えているので、その立毛３７ｂによって、携帯端末Ｍは滑りやすく円滑な出し入れが可能である。つまり、支持シート３７がゴム製である場合と異なり、収納空間２９に携帯端末Ｍを差し込む場合も収納空間２９から携帯端末Ｍを押し出す場合も、立毛３７ｂが可撓性をもって傾動するので、動作は円滑に行われる。
【００５３】
一方、保持状態においては多数の立毛３７ｂが付勢力を以て携帯端末Ｍを支持するので、しっかりと押さえ込んで支持できて、振動を防止することもできる。
【００５４】
このように携帯端末Ｍの出し入れのしやすさと良好な保持状態の両立を図ることができる。
【００５５】
加えて、車両用端末搭載装置１１はオーディオパネル１３に対して固定され、オーディオパネル１３に備えられている固定手段１３ａで車両に対して固定される構成であるので、車両用端末搭載装置１１を車両に対して一旦固定した後でも、元の状態に戻すことが容易である。
【００５６】
以上の構成は、この発明を実施するための一形態の構成であって、この発明は前述の構成のみに限定されるものではなく、その他の構成を採用することもできる。
【符号の説明】
【００５７】
１１…車両用端末搭載装置
１３…オーディオパネル
１５…開口部
２１…トップパネル
２２…バックパネル
２５…背面板部
２６…正面枠部
２７…出し入れ口
２８…閉塞部
３１…枠状リブ
３３…筒状部
４１…板枠部
４２…縁壁
５１…貫通穴
５２…ねじ部材
５６…貫通穴
５７…ねじ部材
Ｍ…携帯端末
【図１】
2019156145.tif 000003
【図２】
2019156145.tif 000004
【図３】
2019156145.tif 000005
【図４】
2019156145.tif 000006
【図５】
2019156145.tif 000007
【図６】
2019156145.tif 000008
【図７】
2019156145.tif 000009
【図８】
2019156145.tif 000010